(57)【要約】【課題】太陽光が、上側に位置するスラットほど部屋奥の天井に向かい、下側に位置するスラットほど窓際の天井に向かうよう、各スラットを互いに異なる角度に変化させることができ、しかも、各スラットの角度を互いに同じ角度に保たせながら、遮光可能に種々変更することもできるブラインドを提供する。【解決手段】各スラット２…の角度を、互いに同じ角度に保たせながら遮光可能に変更することができるラダーコード３が備えられていると共に、下方への引張り力を付与することにより、スラット２…に反射した太陽光が、上側に位置するスラットほど部屋奥の天井に向かい、下側に位置するスラットほど窓際の天井に向かうよう、各スラット２…を互いに異なる角度に変化させる非伸縮性紐５と伸縮性紐部６ａ…とが備えられている。【選択図】      図１
2011012444.tif 000002
【特許請求の範囲】
【請求項１】
左右方向に延ばされたスラットが上下方向に多数配列されると共に、各スラットがラダーコードに保持され、該ラダーコードの前後の縦紐を上下逆方向に変位させることにより、各スラットの角度を、互いに同じ角度に保たせながら遮光可能に変更することができるようになされているブラインドにおいて、
最上部のスラットの上方にターンガイドが設けられ、該ターンガイドに非伸縮性紐がかけられ、該非伸縮性紐は、その一端が最上部のスラットの前後方向における後側に連結され、該一端から上方に延ばされ、ターンガイドの上面側を回ってスラットの前側を各スラットと上下方向において係合することなく最下のスラットよりも下方へと延ばされ、上方にターンして他端が最下のスラットの後側に連結されていると共に、
隣り合う各上下のスラットは、後側において、非伸縮性紐の両端連結部を結ぶ同一垂直線上を上下方向に延びる伸縮性紐部で連結されており、
各スラットをラダーコードにより水平にした状態で、最下のスラットよりも下方に位置する非伸縮性紐のターン部に下方への引張り力を付与することにより、該ターン部を挟む前後の両非伸縮性紐部分が引き下げられると共に、ターンガイドを挟む後側の非伸縮性紐部分が引き上げられて、隣り合う各上下のスラットを連結している伸縮性の各紐部が伸長し、スラットに反射した太陽光が、上側に位置するスラットほど部屋奥の天井に向かい、下側に位置するスラットほど窓際の天井に向かうよう、各スラットが互いに異なる角度に変化するものになされていることを特徴とするブラインド。
【請求項２】
最下のスラットよりも下方に位置する非伸縮性紐のターン部に質量体が連結され、該質量体の自重による引張りによって、スラットに反射した太陽光が、上側に位置するスラットほど部屋奥の天井に向かい、下側に位置するスラットほど窓際の天井に向かうよう、各スラットが互いに異なる角度に変化してその角度に保持されるようになされている請求項１に記載のブラインド。
【発明の詳細な説明】
【技術分野】
【０００１】
本発明は、ブラインドに関する。
【背景技術】
【０００２】
左右方向に延ばされたスラットが上下方向に多数配列されると共に、各スラットがラダーコードに保持され、該ラダーコードの前後の縦紐を上下逆方向に変位させることにより、各スラットの角度を互いに同じ角度に保たせながら変更することができるようになされて、遮光や採光、目隠しをすることができるようになされたブラインドは、従来より、広く提供されている。
【０００３】
しかしながら、上記のようなブラインドでは、太陽光を取り入れて部屋を明るくしようとすると太陽光が目線に入ってしまう一方で、太陽光が目線に入らないようにスラットの角度を調節すると部屋の特に奥側を暗くしてしまうという問題がある。
【０００４】
そのため、特許文献１，２に記載されているように、スラットに反射した太陽光が、上側に位置するスラットほど部屋奥の天井に向かい、下側に位置するスラットほど窓際の天井に向かうよう、各スラットを互いに異なる角度に変化させることができるようになされたブラインドが提案されている。
【先行技術文献】
【特許文献】
【０００５】
【特許文献１】特許第３８６２７０４号公報
【特許文献２】特許第３７０００９８号公報
【発明の概要】
【発明が解決しようとする課題】
【０００６】
しかしながら、上記の特許文献に記載されているブラインドは、太陽光が、上側に位置するスラットほど部屋奥の天井に向かい、下側に位置するスラットほど窓際の天井に向かうよう、各スラットを互いに異なる角度に変化させるか、あるいは、すべてのスラットを立てた状態にして遮光状態にするかの選択しかできず、各スラットの角度を、互いに同じ角度に保たせながら種々変更するということができないものであった。
【０００７】
本発明は、上記のような問題点に鑑み、太陽光が、上側に位置するスラットほど部屋奥の天井に向かい、下側に位置するスラットほど窓際の天井に向かうよう、各スラットを互いに異なる角度に変化させることができ、しかも、各スラットの角度を互いに同じ角度に保たせながら、遮光可能に種々変更することもできるブラインドを提供することを課題とする。
【課題を解決するための手段】
【０００８】
上記の課題は、左右方向に延ばされたスラットが上下方向に多数配列されると共に、各スラットがラダーコードに保持され、該ラダーコードの前後の縦紐を上下逆方向に変位させることにより、各スラットの角度を、互いに同じ角度に保たせながら遮光可能に変更することができるようになされているブラインドにおいて、
最上部のスラットの上方にターンガイドが設けられ、該ターンガイドに非伸縮性紐がかけられ、該非伸縮性紐は、その一端が最上部のスラットの前後方向における後側に連結され、該一端から上方に延ばされ、ターンガイドの上面側を回ってスラットの前側を各スラットと上下方向において係合することなく最下のスラットよりも下方へと延ばされ、上方にターンして他端が最下のスラットの後側に連結されていると共に、
隣り合う各上下のスラットは、後側において、非伸縮性紐の両端連結部を結ぶ同一垂直線上を上下方向に延びる伸縮性紐部で連結されており、
各スラットをラダーコードにより水平にした状態で、最下のスラットよりも下方に位置する非伸縮性紐のターン部に下方への引張り力を付与することにより、該ターン部を挟む前後の両非伸縮性紐部分が引き下げられると共に、ターンガイドを挟む後側の非伸縮性紐部分が引き上げられて、隣り合う各上下のスラットを連結している伸縮性の各紐部が伸長し、スラットに反射した太陽光が、上側に位置するスラットほど部屋奥の天井に向かい、下側に位置するスラットほど窓際の天井に向かうよう、各スラットが互いに異なる角度に変化するものになされていることを特徴とするブラインドによって解決される（第１発明）。なお、「前後」の文言における「前」の語は部屋側を、「後」の語は窓側を意味するものであることはいうまでもない。
【０００９】
上記のブラインドでは、各スラットを保持しているラダーコードの前後の縦紐を上下逆方向に変位させることにより、各スラットの角度を互いに同じ角度に保たせながら遮光可能に変更することができる。
【００１０】
しかも、各スラットをラダーコードにより水平にした状態で、最下のスラットよりも下方に位置する非伸縮性紐のターン部に下方への引張り力を付与すれば、各スラットは互いに異なる角度に変化して、スラットに反射した太陽光を、上側に位置するスラットほど部屋奥の天井に向かわせ、下側に位置するスラットほど窓際の天井に向かわせることができる。
【００１１】
第１発明において、最下のスラットよりも下方に位置する非伸縮性紐のターン部に質量体が連結され、該質量体の自重による引張りによって、スラットに反射した太陽光が、上側に位置するスラットほど部屋奥の天井に向かい、下側に位置するスラットほど窓際の天井に向かうよう、各スラットが互いに異なる角度に変化してその角度に保持されるようになされているとよい（第２発明）。
【００１２】
この場合は、質量体を、最下のスラットよりも下方に位置する非伸縮性紐のターン部に吊り下げ状態にするだけで、そのような角度状態に保持することができ、操作を容易にすることができる。
【発明の効果】
【００１３】
本発明のブラインドは、以上のとおりのものであるから、太陽光が、上側に位置するスラットほど部屋奥の天井に向かい、下側に位置するスラットほど窓際の天井に向かうよう、各スラットを互いに異なる角度に変化させることができ、しかも、各スラットの角度を、互いに同じ角度に保たせながら、遮光可能に種々変更することもできる。
【図面の簡単な説明】
【００１４】
【図１】実施形態のブラインドを示すもので、図（イ）は図２のＩ−Ｉ線断面図、図（ロ）は図２のＩＩ−ＩＩ線断面図、図（ハ）はスラット、ラダーコード、非伸縮性紐、伸縮性紐部との取り合い関係を示す斜視図である。
【図２】同ブラインドの正面図である。
【図３】図（イ）〜図（ハ）はそれぞれ、スラットの動作状態を示す断面側面図である。
【図４】スラットが図３（ハ）に示す動作状態となっているときの部屋内への太陽光の射し込み方を示す断面側面図である。
【発明を実施するための形態】
【００１５】
次に、本発明の実施形態を図面に基づいて説明する。
【００１６】
図１及び図２に示す実施形態のブラインド１において、２…はスラットであり、各スラット２は、幅寸法が例えば４０ｍｍ程度で、表面部が反射率の高いものからなっていて、図１（イ）（ハ）及び図２に示すように、左右方向に向けて延ばされると共に、上下方向に多数配列され、左右方向に間隔をおいて複数備えられたラダーコード３…の横紐３ａに支承保持され、図３（イ）（ロ）に示すように、各ラダーコード３の前後の縦紐３ｂ，３ｃを図示しない操作部に対する操作によって上下逆方向に変位させることにより、各スラット２…の角度を、互いに同じ角度に保たせながら変更することができるようになされていると共に、図示しないけれども遮光状態にすることもできるようになされている。
【００１７】
そして、図１（ロ）及び図２に示すように、最上部のスラット２の上方には、左右方向に間隔をおいた複数箇所において、滑車などからなるターンガイド４…が設けられ、各ターンガイド４には非伸縮性紐５がかけられ、該非伸縮性紐５は、その一端が最上部のスラット２ａの前後方向における後側に連結５ａされ、該一端から上方に延ばされ、ターンガイド４の上面側を回ってスラット２…の前側を、各スラット２…と上下方向において係合することなく各スラット２…を貫通して下方に延ばされると共に、最下のスラット２ｂよりも下方に延ばされ、上方にターンして、他端が最下のスラット２ｂの後側に連結５ｂされている。
【００１８】
また、隣り合う各上下のスラット２，２は、後側において、非伸縮性紐５の両端連結部５ａ，５ｂを結ぶ同一垂直線上を上下方向に延びる伸縮性紐部６ａ…で連結されている。隣り合う各上下のスラット２，２を連結している伸縮性紐部６ａ…は、互いに独立した紐であってもよいし、図１（ハ）に示すように、一本の伸縮性紐６を各スラット２…に貫通させ、各貫通部に連結用のストッパー７を設けたものであってもよい。
【００１９】
そして、最下のスラット２ｂよりも下方に位置する非伸縮性紐５のターン部に質量体８が連結されており、図１（ロ）に示すように、各スラット２…をラダーコード３により水平にした状態で、該質量体８を、図３（ハ）に示すように、吊した状態にすると、その自重による引張りによって、質量体８の連結部分を挟む前後の両非伸縮性紐部分が引き下げられると共に、ターンガイド４を挟む後側の非伸縮性紐部分が引き上げられて、隣り合う各上下のスラット２…を連結している各伸縮性紐部６ａ…が伸長し、それにより、図４に示すように、スラット２…に反射した太陽光が、上側に位置するスラットほど部屋９の奥の天井１０に向かい、下側に位置するスラットほど窓１１際の天井１０に向かうよう、各スラット２…が互いに異なる角度に変化するようになされている。なお、ラダーコード３がこのような動きを実現する上での妨げとなることがないのはいうまでもない。
【００２０】
１２はクリップで、該クリップ１２を窓辺の適当な部分に止め付けておくことで、質量体８の自重による引張り力が非伸縮性紐５に作用しないようにすることができる。
【００２１】
このように、上記のブラインド１によれば、太陽光が、上側に位置するスラットほど部屋奥の天井に向かい、下側に位置するスラットほど窓際の天井に向かうよう、各スラット２…を互いに異なる角度に変化させることができ、しかも、各スラット２…の角度を、互いに同じ角度に保たせながら、遮光可能に種々変更することもできる。
【００２２】
以上に、本発明の実施形態を示したが、本発明はこれに限られるものではなく、発明思想を逸脱しない範囲で各種の変更が可能である。例えば、上記の実施形態では、非伸縮性紐を下方に引っ張った状態に保持する手段として、質量体８を使用した構成を示しているが、非伸縮性紐の下ターン部にフックを取り付けておき、非伸縮性紐の下ターン部を下方に引張った状態でフックを金具に止め付けておくことによって引張り保持状態にする構成などであってもよく、種々の引張り状態保持手段が採用されてよい。
【符号の説明】
【００２３】
１…ブラインド
２…スラット
３…ラダーコード
４…ターンガイド
５…非伸縮性紐
６ａ…伸縮性紐部
８…質量体
９…部屋
１０…天井
１１…窓
【図１】
2011012444.tif 000003
【図２】
2011012444.tif 000004
【図３】
2011012444.tif 000005
【図４】
2011012444.tif 000006